(57)【要約】【課題】他世帯比較を行うことによって省エネ意識を高めることができるエネルギーマネジメントシステムを提供する。【解決手段】エネルギーマネジメントシステムは、各住戸に設置される宅内設備Ａと宅外の携帯端末ＰＴとをインターネットＮＴを介してセンタ装置ＳＶに接続して構成され、宅内設備Ａは、エネルギーマネジメントユニット３と、表示制御装置ＣＶとを備える。センタ装置ＳＶには、各住戸のエネルギーマネジメントユニット３から送信される主幹ブレーカＢｓおよび分岐ブレーカＢｍｎ毎の電気使用量が各住戸毎に蓄積され、センタ装置ＳＶでは、この蓄積データに基づいて他世帯との間で電気使用量や電気使用量の削減度合いなどの比較が行われる。この他世帯比較の結果は各住戸毎に作成され、対応する住戸の表示制御装置ＣＶにそれぞれ送信される。【選択図】図１
2009130986.tif 000002
【特許請求の範囲】
【請求項１】
各住戸に設けられた宅内設備と宅外の端末装置とがネットワークを介してサーバに接続され、前記宅内設備は、主幹ブレーカに流れる電流を計測する主幹電流計測部、当該主幹電流計測部の計測結果に基づいて主幹ブレーカの使用電力量を演算する主幹電力量演算部、および、主幹ブレーカの二次側から分岐した分岐電路にそれぞれ設けられた複数の分岐ブレーカに流れる電流を分岐ブレーカ毎に計測する分岐電流計測部を具備した電流計測ユニットと、前記分岐電流計測部の計測結果に基づいて分岐ブレーカ毎の使用電力量を演算する分岐電力量演算部、および、当該分岐電力量演算部の演算結果に基づいて分岐ブレーカ毎の電気使用量を含む各種の電気使用量の情報を生成する制御部を具備したエネルギーマネジメントユニットと、当該エネルギーマネジメントユニットとの間で情報を授受し、操作入力に応じて各種の電気使用量の情報を表示する端末装置と、ネットワークを介して前記サーバに接続するためのネットワーク接続部とを備え、前記サーバは、各住戸における前記主幹ブレーカの電気使用量および前記分岐ブレーカ毎の電気使用量の履歴を各住戸毎に蓄積し、蓄積した各住戸の電気使用量の履歴を比較して各住戸毎に電気使用量の順位づけを行い、各住戸の前記端末装置に、対応する比較結果を提供することを特徴とするエネルギーマネジメントシステム。
【請求項２】
前記サーバは、比較対象の居住範囲を設定するためのウェブページを有し、前記端末装置は、ネットワークを介して前記サーバから当該ウェブページを取得し、取得したウェブページにおいて使用者が前記居住範囲を設定すると、前記サーバは、設定した居住範囲の住戸を比較対象として比較を行うことを特徴とする請求項１記載のエネルギーマネジメントシステム。
【請求項３】
前記サーバは、比較期間を設定するためのウェブページを有し、前記端末装置は、ネットワークを介して前記サーバから当該ウェブページを取得し、取得したウェブページにおいて使用者が前記比較期間を設定すると、前記サーバは、設定した比較期間の蓄積情報に基づいて比較を行うことを特徴とする請求項１記載のエネルギーマネジメントシステム。
【請求項４】
各住戸に設けられた宅内設備と宅外の端末装置とがネットワークを介してサーバに接続され、前記宅内設備は、主幹ブレーカに流れる電流を計測する主幹電流計測部、当該主幹電流計測部の計測結果に基づいて主幹ブレーカの使用電力量を演算する主幹電力量演算部、および、主幹ブレーカの二次側から分岐した分岐電路にそれぞれ設けられた複数の分岐ブレーカに流れる電流を分岐ブレーカ毎に計測する分岐電流計測部を具備した電流計測ユニットと、前記分岐電流計測部の計測結果に基づいて分岐ブレーカ毎の使用電力量を演算する分岐電力量演算部、および、当該分岐電力量演算部の演算結果に基づいて分岐ブレーカ毎の電気使用量を含む各種の電気使用量の情報を生成する制御部を具備したエネルギーマネジメントユニットと、当該エネルギーマネジメントユニットとの間で情報を授受し、操作入力に応じて各種の電気使用量の情報を表示する端末装置と、ネットワークを介して前記サーバに接続するためのネットワーク接続部とを備え、前記サーバは、各住戸における前記主幹ブレーカの電気使用量および前記分岐ブレーカ毎の電気使用量の履歴を各住戸毎に蓄積し、蓄積した前記履歴に基づいて所定期間における電気使用量の削減度合いを各住戸毎に算出するとともに、各住戸の前記削減度合いを比較して各住戸毎に当該削減度合いの順位づけを行い、各住戸の前記端末装置に、対応する比較結果を提供することを特徴とするエネルギーマネジメントシステム。
【請求項５】
前記サーバは、比較対象の居住範囲を設定するためのウェブページを有し、前記端末装置は、ネットワークを介して前記サーバから当該ウェブページを取得し、取得したウェブページにおいて使用者が前記居住範囲を設定すると、前記サーバは、設定した居住範囲の住戸を比較対象として比較を行うことを特徴とする請求項４記載のエネルギーマネジメントシステム。
【請求項６】
前記サーバは、前記所定期間を設定するためのウェブページを有し、前記端末装置は、ネットワークを介して前記サーバから当該ウェブページを取得し、取得したウェブページにおいて使用者が前記所定期間を設定すると、前記サーバは、設定した所定期間の蓄積情報に基づいて比較を行うことを特徴とする請求項４記載のエネルギーマネジメントシステム。
【請求項７】
前記サーバは、比較対象の住戸が電化住宅であるか否かを設定するためのウェブページを有し、前記端末装置は、ネットワークを介して前記サーバから当該ウェブページを取得し、取得したウェブページにおいて前記比較対象の住戸が電化住宅であるか否かを設定すると、前記サーバは、設定された比較対象について比較を行うことを特徴とする請求項１〜６の何れか１項に記載のエネルギーマネジメントシステム。
【請求項８】
前記サーバは、前記比較結果を前記端末装置に送信して当該端末装置に前記比較結果を表示させるプッシュ型情報配信機能を有することを特徴とする請求項１〜７の何れか１項に記載のエネルギーマネジメントシステム。
【請求項９】
前記端末装置が比較結果を要求する比較結果要求信号を前記サーバに送信すると、前記サーバは、前記端末装置に前記比較結果を送信し、前記端末装置は、受信した前記比較結果を表示することを特徴とする請求項１〜７の何れか１項に記載のエネルギーマネジメントシステム。
【発明の詳細な説明】
【技術分野】
【０００１】
本発明は、エネルギーマネジメントシステムに関するものである。
【背景技術】
【０００２】
従来より、各世帯で使用される全体の電気使用量や電気機器毎の電気使用量をそれぞれ計測し、その計測結果に基づいて電気使用量に関する情報を各世帯毎に作成するとともに、作成した情報を対応する世帯に提供するエネルギーマネジメントシステムがあった（例えば特許文献１参照）。
【特許文献１】特開２００６−１６２４２４号公報（段落［００１２］−段落［００１７］、及び、第１図）
【発明の開示】
【発明が解決しようとする課題】
【０００３】
上述の特許文献１に示したエネルギーマネジメントシステムは、各世帯で計測した計測結果を当該世帯の過去の電気使用量と比較したり、当該世帯が属する集計母体（例えば、マンションなど）の平均値と比較したものであり、例えばこの集計母体において、自世帯の電気使用状態が他世帯と比較してどのような順位にあるのか、また他世帯と比較してどの程度電気使用量が削減できているのかを把握できるものではなかった。
【０００４】
本発明は上記問題点に鑑みて為されたものであり、その目的とするところは、他世帯比較を行うことによって省エネ意識を高めることができるエネルギーマネジメントシステムを提供することにある。
【課題を解決するための手段】
【０００５】
請求項１の発明は、各住戸に設けられた宅内設備と宅外の端末装置とがネットワークを介してサーバに接続され、宅内設備は、主幹ブレーカに流れる電流を計測する主幹電流計測部、当該主幹電流計測部の計測結果に基づいて主幹ブレーカの使用電力量を演算する主幹電力量演算部、および、主幹ブレーカの二次側から分岐した分岐電路にそれぞれ設けられた複数の分岐ブレーカに流れる電流を分岐ブレーカ毎に計測する分岐電流計測部を具備した電流計測ユニットと、分岐電流計測部の計測結果に基づいて分岐ブレーカ毎の使用電力量を演算する分岐電力量演算部、および、当該分岐電力量演算部の演算結果に基づいて分岐ブレーカ毎の電気使用量を含む各種の電気使用量の情報を生成する制御部を具備したエネルギーマネジメントユニットと、当該エネルギーマネジメントユニットとの間で情報を授受し、操作入力に応じて各種の電気使用量の情報を表示する端末装置と、ネットワークを介してサーバに接続するためのネットワーク接続部とを備え、サーバは、各住戸における主幹ブレーカの電気使用量および分岐ブレーカ毎の電気使用量の履歴を各住戸毎に蓄積し、蓄積した各住戸の電気使用量の履歴を比較して各住戸毎に電気使用量の順位づけを行い、各住戸の端末装置に、対応する比較結果を提供することを特徴とする。
【０００６】
請求項２の発明は、サーバは、比較対象の居住範囲を設定するためのウェブページを有し、端末装置は、ネットワークを介してサーバから当該ウェブページを取得し、取得したウェブページにおいて使用者が居住範囲を設定すると、サーバは、設定した居住範囲の住戸を比較対象として比較を行うことを特徴とする。
【０００７】
請求項３の発明は、サーバは、比較期間を設定するためのウェブページを有し、端末装置は、ネットワークを介してサーバから当該ウェブページを取得し、取得したウェブページにおいて使用者が比較期間を設定すると、サーバは、設定した比較期間の蓄積情報に基づいて比較を行うことを特徴とする。
【０００８】
請求項４の発明は、各住戸に設けられた宅内設備と宅外の端末装置とがネットワークを介してサーバに接続され、宅内設備は、主幹ブレーカに流れる電流を計測する主幹電流計測部、当該主幹電流計測部の計測結果に基づいて主幹ブレーカの使用電力量を演算する主幹電力量演算部、および、主幹ブレーカの二次側から分岐した分岐電路にそれぞれ設けられた複数の分岐ブレーカに流れる電流を分岐ブレーカ毎に計測する分岐電流計測部を具備した電流計測ユニットと、分岐電流計測部の計測結果に基づいて分岐ブレーカ毎の使用電力量を演算する分岐電力量演算部、および、当該分岐電力量演算部の演算結果に基づいて分岐ブレーカ毎の電気使用量を含む各種の電気使用量の情報を生成する制御部を具備したエネルギーマネジメントユニットと、当該エネルギーマネジメントユニットとの間で情報を授受し、操作入力に応じて各種の電気使用量の情報を表示する端末装置と、ネットワークを介してサーバに接続するためのネットワーク接続部とを備え、サーバは、各住戸における主幹ブレーカの電気使用量および分岐ブレーカ毎の電気使用量の履歴を各住戸毎に蓄積し、蓄積した履歴に基づいて所定期間における電気使用量の削減度合いを各住戸毎に算出するとともに、各住戸の削減度合いを比較して各住戸毎に当該削減度合いの順位づけを行い、各住戸の端末装置に、対応する比較結果を提供することを特徴とする。
【０００９】
請求項５の発明は、サーバは、比較対象の居住範囲を設定するためのウェブページを有し、端末装置は、ネットワークを介してサーバから当該ウェブページを取得し、取得したウェブページにおいて使用者が居住範囲を設定すると、サーバは、設定した居住範囲の住戸を比較対象として比較を行うことを特徴とする。
【００１０】
請求項６の発明は、サーバは、所定期間を設定するためのウェブページを有し、端末装置は、ネットワークを介してサーバから当該ウェブページを取得し、取得したウェブページにおいて使用者が所定期間を設定すると、サーバは、設定した所定期間の蓄積情報に基づいて比較を行うことを特徴とする。
【００１１】
請求項７の発明は、サーバは、比較対象の住戸が電化住宅であるか否かを設定するためのウェブページを有し、端末装置は、ネットワークを介してサーバから当該ウェブページを取得し、取得したウェブページにおいて比較対象の住戸が電化住宅であるか否かを設定すると、サーバは、設定された比較対象について比較を行うことを特徴とする。ここに、電化住宅とは、冷暖房、給湯、調理のエネルギー源として、ガス、石油などを使用せず、すべてを電気でまかなう住宅をいい、オール電化住宅ともいう。
【００１２】
請求項８の発明は、サーバは、比較結果を端末装置に送信して当該端末装置に比較結果を表示させるプッシュ型情報配信機能を有することを特徴とする。
【００１３】
請求項９の発明は、端末装置が比較結果を要求する比較結果要求信号をサーバに送信すると、サーバは、端末装置に比較結果を送信し、端末装置は、受信した比較結果を表示することを特徴とする。
【発明の効果】
【００１４】
請求項１の発明によれば、各住戸の電気使用量を他の住戸の電気使用量と比較することによって、各住戸において電気の使用状態を把握することができ、また順位づけを行うことによって順位を上げようとして省エネを心掛けるようになり、その結果省エネを図ることができるという効果がある。
【００１５】
請求項２の発明によれば、サーバが提供するウェブページにおいて、比較対象の居住範囲が設定できるようになっているので、様々な居住範囲において電気使用量を比較することができるという効果がある。
【００１６】
請求項３の発明によれば、サーバが提供するウェブページにおいて、比較期間が設定できるようになっているので、様々な期間において電気使用量を比較することができるという効果がある。
【００１７】
請求項４の発明によれば、各住戸の電気使用量の削減度合いを他の住戸の電気使用量の削減度合いと比較することによって、各住戸において省エネの度合いを把握することができ、また順位づけを行うことによって順位を上げようとして省エネを心掛けるようになり、その結果さらに省エネを図ることができるという効果がある。
【００１８】
請求項５の発明によれば、サーバが提供するウェブページにおいて、比較対象の居住範囲が設定できるようになっているので、様々な居住範囲において電気使用量の削減度合いを比較することができるという効果がある。
【００１９】
請求項６の発明によれば、サーバが提供するウェブページにおいて、所定期間が設定できるようになっているので、様々な期間において電気使用量の削減度合いを比較することができるという効果がある。
【００２０】
請求項７の発明によれば、サーバが提供するウェブページにおいて、比較対象の住戸が電化住宅であるか否かを設定できるようになっているので、電気使用量や電気使用量の削減度合いを比較する際に、同じ条件の住戸との間で比較を行うことができ、より効果的な比較を実現することができるという効果がある。
【００２１】
請求項８の発明によれば、サーバが、情報を自動的に配信するプッシュ型情報配信機能を有しているので、使用者がサーバにアクセスすることなく比較結果を取得することができるという効果がある。
【００２２】
請求項９の発明によれば、使用者が端末装置からサーバに比較結果要求信号を送信すると、サーバは比較結果要求信号を送信した端末装置に対して対応する比較結果を送信するので、使用者が見たいときに比較結果を取得することができるという効果がある。
【発明を実施するための最良の形態】
【００２３】
本発明の実施形態を図面に基づいて説明する。
【００２４】
本実施形態のエネルギーマネジメントシステムは、図１に示すように各住戸に設置される宅内設備Ａと宅外の携帯端末ＰＴとをインターネットＮＴ（ネットワーク）を介してセンタ装置ＳＶ（サーバ）に接続して構成され、宅内設備Ａは、宅内に設置される統合管理盤１と、商用電源を供給する電路Ｌｐおよび情報伝送路Ｌｊを介して統合管理盤１に接続されて、統合管理盤１が電力供給、制御並びに監視を行う照明器具、空調機器（エアコン）、床暖房器具、ＩＨ機器などの宅内に設置された複数の電気機器Ｘｍｎ（添え字のｍ、ｎは１以上の整数を示す。ｍ、ｎ＝１，２，…、以下同様。）と、統合管理盤１にＬＡＮケーブルＬｉを介して接続される複数（図では２つ）の端末装置（パーソナル・コンピュータＰＣ並びに表示制御装置ＣＶ等のウェブブラウザ機能を有する端末装置）とを備え、統合管理盤１と端末装置とが汎用の通信プロトコル（ＴＣＰ／ＩＰ、ＨＴＴＰなど）を利用した宅内ネットワークを構成している。
【００２５】
この宅内ネットワークは、１００ＢＡＳＥ−ＴＸ（ＩＥＥＥ  ８０２．３ｕ）規格に準拠したローカルエリアネットワーク（ＬＡＮ）であって、統合管理盤１内においてレイヤ２スイッチやレイヤ３スイッチに相当する後述の統合装置ＴＭ（ネットワーク接続部）に、ネットワーク端末に相当する端末装置（パーソナル・コンピュータＰＣ並びに表示制御装置ＣＶ）などがスター配線で接続されている。また、統合装置ＴＭは、インターネットＮＴに接続するための回線の種類（電話回線、ＣＡＴＶ回線、光ファイバ回線など）に応じたインターネット接続機能を有しており、この統合装置ＴＭを介して宅内ネットワークが外部ネットワークたるインターネットＮＴに接続される。なお、宅内ネットワークを構成する端末装置は、図３に示すようにウェブブラウザ機能を有するネットテレビＴＶなどであってもよく、このネットテレビＴＶは、例えばマルチメディアコンセントＭＣを介して統合管理盤１に接続される。
【００２６】
さらに、この宅内ネットワークには、宅外に設置されたセンタ装置ＳＶがインターネットＮＴを介して接続されており、後述するようにインターネットＮＴに接続可能なノート型のパーソナル・コンピュータ、携帯電話機、ＰＤＡ（Ｐｅｒｓｏｎａｌ  Ｄｉｇｉｔａｌ  Ａｓｓｉｓｔａｎｃｅ）などからなるウェブブラウザ機能を有する携帯型の端末装置（携帯端末ＰＴ）とセンタ装置ＳＶとの間でインターネットＮＴを介したデータ通信を行うことにより、例えば、携帯端末ＰＴを使って外出先から宅内電気機器の制御や監視を行うことができる。ここに、パーソナル・コンピュータＰＣや表示制御装置ＣＶや携帯端末ＰＴなどにより端末装置が構成されている。
【００２７】
センタ装置ＳＶは、ネットワーク機能を有する汎用のコンピュータ装置で構成されており、携帯端末ＰＴからインターネットＮＴを介して送信される統合管理盤１宛てのメッセージや、統合管理盤１から宅内ネットワークに属さない端末装置（例えば、携帯端末ＰＴなど）に宛てて送信されるメッセージを中継する機能を有している。また、センタ装置ＳＶは情報データベースＤＢを備え（図３参照）、この情報データベースＤＢには各住戸における主幹ブレーカＢｓの電気使用量および分岐ブレーカＢｍｎ（ｍ＝１，２，…、ｎ＝１，２，…）毎の電気使用量の履歴が各住戸毎に蓄積されるようになっている。ここにおいて、上述のようなインターネット接続機能を有する携帯端末ＰＴやセンタ装置ＳＶは従来周知であるから、詳細な構成については説明を省略する。
【００２８】
統合管理盤１は、図１および図２に示すように、外部から住宅に供給される商用電源を一次側に受ける主幹ブレーカＢｓと、主幹ブレーカＢｓの二次側から分岐した電路にそれぞれ介挿される複数（図１では３個のみ表示）の分岐ブレーカＢｍｎ（ｍ＝１，２，…、ｎ＝１，２，…）と、これら主幹ブレーカＢｓおよび分岐ブレーカＢｍｎに流れる電流を計測するための電流計測ユニット２と、電流計測ユニット２から入力される計測データに基づいて使用電力量を演算するエネルギーマネジメントユニット３と、上記の統合装置ＴＭと、電気機器コントローラＣ１とを備えている。そして、各分岐ブレーカＢｍｎを介して分岐された各電路Ｌｐｍｎ（ｍ＝１，２，…、ｎ＝１，２，…）は統合管理盤１外に導出され、各電路Ｌｐｍｎに接続される電気機器Ｘｍｎ（ｍ＝１，２，…、ｎ＝１，２，…）に対して動作電源を供給している。
【００２９】
電流計測ユニット２は、主幹ブレーカＢｓを介して供給されている主幹電力量を定期的に計測する主幹電力計測部２ａと、各分岐ブレーカＢｍｎを流れる分岐電流の値を分岐ブレーカ毎に定期的に計測する分岐電流計測部ＣＴｍｎ（ｍ＝１，２，…、ｎ＝１，２，…）と、主幹ブレーカＢｓの主幹電力および分岐ブレーカＢｍｎ毎の分岐電流の計測データを収集し、収集した計測データを検出情報としてエネルギーマネジメントユニット３に出力する制御部２ｂとを備えている。
【００３０】
主幹電力計測部２ａは、主幹ブレーカＢｓを流れる主幹電流を定期的に計測する主幹電流計測部ＣＴｓと、主幹電流の計測値に基づいて電力量を演算する電力演算部ＥＰＯとを備えており、主幹電流計測部ＣＴｓで計測した主幹電流の計測値を電力演算部ＥＰＯで電力量に変換することによって主幹ブレーカＢｓを介して供給される主幹電力量が演算される。ここに、電力演算部ＥＰＯにより主幹電力量演算部が構成されている。
【００３１】
ここで、分岐ブレーカＢｍｎ毎に設けられた分岐電流計測部ＣＴｍｎ（ｍ＝１，２，…、ｎ＝１，２，…）は、各電路Ｌｐｍｎ（ｍ＝１，２，…、ｎ＝１，２，…）に流れる分岐電流を検出する電流センサ（図示せず）と、電流センサの検出出力に基づいて検出データを生成するセンサユニット（図示せず）とを備えており、さらにセンサユニットでは生成した検出データを伝送用信号に変調して制御部２ｂに出力している。
【００３２】
そして、制御部２ｂでは、センサユニットから入力された伝送用信号を復調して検出データを取り出し、取得した検出データを送信部２ｃから順次エネルギーマネジメントユニット３に送信している。
【００３３】
次に、エネルギーマネジメントユニット３は、上記送信部２ｃより受信した分岐ブレーカＢｍｎ毎の分岐電流の計測データに基づいて、各分岐ブレーカＢｍｎを介して供給されている分岐電力量を演算する演算部３ａと、演算部３ａから入力された主幹電力量および分岐電力量に基づいて、主幹電力量を表す画像データや各分岐電力量を表す画像データなどの表示制御装置ＣＶに表示させる画面データを生成する制御部３ｂとを備えている。ここに、演算部３ａにより分岐電力量演算部が構成されている。
【００３４】
上記の制御部３ｂは、電力量検知を行う分岐ブレーカＢｍｎのデータ（分岐ブレーカの名称：分岐１、分岐２、．．．など）を予め格納しており、主幹電力量および分岐電路毎の分岐電力量など各種の電気使用量を表示するための画像データとしてウェブコンテンツ（ウェブページ）を作成し、端末装置ＴＵ（表示制御装置ＣＶやパソコンＰＣや携帯端末ＰＴなど）からの要求に応じて所望のウェブコンテンツを端末装置ＴＵに提供（配信）する機能（ウェブサーバ機能）を有しており、ＬＡＮケーブルを介して統合管理盤１内の統合装置ＴＭや電気機器コントローラＣ１などが接続されている。ここにおいて、制御部３ｂには、分岐ブレーカＢｍｎのデータとして、分岐ブレーカＢｍｎに接続される電気機器の名称やその使用場所の情報が格納されており、空調機器（エアコン）や床暖房設備などの単独回路のために個別に設けた分岐ブレーカの場合には、対応する電気機器の名称が格納される。また、単独回路ではなく不特定の電気機器が接続される可能性のある分岐ブレーカの場合には、各分岐ブレーカに接続される可能性がある電気機器の名称（例えば、照明器具、テレビ、給湯器など）や主たる使用場所が格納されており、ユーザが各分岐ブレーカに接続して使用する可能性が高い電気機器（例えば、ホットカーペットやアイロンなど）の名称およびその使用場所を設定しておくのが好ましい。
【００３５】
また、制御部３ｂは、各分岐ブレーカＢｍｎに接続されている電気機器Ｘｍｎの情報（例えば、使用用途や設置場所や停止時分岐電流など）が予め登録されるとともに、演算部３ａから入力される主幹電力量および分岐ブレーカＢｍｎ毎の分岐電力量（使用電力量）を時系列で逐次記憶するデータ記憶部３ｄと、端末装置ＴＵ（表示制御装置ＣＶやパソコンＰＣや携帯端末ＰＴなど）から統合装置ＴＭを介して入力される各種の要求信号に応じて、主幹電力量および分岐電路毎の分岐電力量など各種の電気使用量を表示するための画像データを生成し、当該画像データを端末装置ＴＵに送信（配信）する画像データ生成部３ｃとを備えている。
【００３６】
一方、宅内にはリビング、寝室、子供部屋等の複数の部屋Ｒｍ（ｍ＝１，２，…）が設けられており、各部屋Ｒｍにはそれぞれ電気機器Ｘｍｎ（ｍ＝１，２，…、ｎ＝１，２，…）や電気機器が接続されるコンセントなどが設けられている。本実施形態では、図１および図３に示すように、分岐ブレーカＢ１ｎ（ｎ＝１，２，…）には、部屋Ｒ１（例えば、リビング）に設けたエアコンＸ１１やコンセント１０（エアコンＸ１１以外の電気機器であって、部屋Ｒ１内で使用される電気機器が接続されるコンセント）が接続され、対応する電路Ｌｐ１ｎ（ｎ＝１，２，…）を介して電力供給している。また、分岐ブレーカＢ２０には、部屋Ｒ２（例えば、子供部屋）に設けたエアコンＸ２１が接続され、電路Ｌｐ２０を介して電力供給している。さらに、分岐ブレーカＢ３１には、部屋Ｒ３（例えば、寝室）に設けたエアコンＸ３１が接続され、電路Ｌｐ３１を介して電力供給している。また、分岐ブレーカＢ４ｎ（ｎ＝１，２，…）には、部屋Ｒ４（例えば、台所）に設けたエアコンＸ４１や冷蔵庫用のコンセント８が接続され、対応する電路Ｌｐ４ｎ（ｎ＝１，２，…）を介して電力供給している。さらに、分岐ブレーカＢ５１には、部屋Ｒ５（例えば、和室）に設けたコンセント１１（部屋Ｒ５内で使用される電気機器が接続されるコンセント）が接続され、電路Ｌｐ５１を介して電力供給している。また、分岐ブレーカＢｍｎ（ｍ＝６，７，…、ｎ＝１，２，…）には、給湯器１４や床暖房１３や洗濯機用のコンセント９がそれぞれ接続され、対応する電路Ｌｐｍｎ（ｍ＝６，７，…、ｎ＝１，２，…）を介して電力供給している。
【００３７】
次に、統合装置ＴＭは、図１に示すようにＬＡＮケーブル（エンハンスト・カテゴリ５若しくはカテゴリ６のＬＡＮケーブル）を介して、盤内のエネルギーマネジメントユニット３の制御部３ｂや電気機器コントローラＣ１、盤外のパソコンＰＣ、表示制御装置ＣＶが接続されるとともに、インターネットＮＴを通じてセンタ装置ＳＶや、携帯電話機などの携帯端末ＰＴ、または他の端末装置に接続しており、パケット処理機能、経路切換機能、ネットワークセキュリティ機能、ＵＰｎＰ（ユニバーサル・プラグ・アンド・プレイ）のコントロールポイントの機能等を有して、ネットワークにおけるデータ授受をコントロールしている。
【００３８】
また、上述の端末装置ＴＵ（表示制御装置ＣＶやパソコンＰＣや携帯端末ＰＴなど）は、図５のブロック図に示すように統合装置ＴＭとの間でデータの授受を行う送受信部１５と、液晶ディスプレイからなる画像表示部１６と、操作信号を入力するための入力操作部１８と、送受信部１５、画像表示部１６および入力操作部１８などの全体の制御を行う制御部１７とを備えている。ここにおいて、表示制御装置ＣＶの画像表示部１６はタッチパネルからなり、このタッチパネルにより入力操作部１８が構成され、パソコンＰＣや携帯端末ＰＴなどはキーボードやテンキーにより入力操作部１８が構成されている。
【００３９】
また、図１における電気機器コントローラＣ１は、統合装置ＴＭとのインターフェース機能と、日本電機工業会（ＪＥＭＡ）の統一規格に適合した電気機器Ｘｍｎとのインターフェース機能をそれぞれ有している。この電気機器コントローラＣ１は、統合装置ＴＭを介して端末装置ＴＵから制御要求のメッセージを受け取ったときに、情報伝送路Ｌｊを介して各電気機器Ｘｍｎ（例えば、エアコンや床暖房設備など）を個別に制御して運転と停止を切り換える機能（制御機能）や、統合装置ＴＭを介して端末装置ＴＵから監視要求のメッセージを受け取ったときに、情報伝送路Ｌｊを介して各電気機器Ｘｍｎの動作状態（運転［点灯］又は停止［消灯］）を個別に取得するとともに、制御要求や監視要求に対する応答（各電気機器Ｘｍｎの動作状態）のメッセージを要求メッセージの送信元である端末装置ＴＵに向けて統合装置ＴＭを介して送信させる機能（監視機能）を有する。また、電気機器コントローラＣ１は、自己の配下にある電気機器Ｘｍｎの機器名称情報、部屋Ｒｍの名称情報等を予め格納しており、電気機器Ｘｍｎの名称並びに動作状態を文字や記号で表示するためのウェブコンテンツ（ウェブページ）を作成し、端末装置ＴＵからの要求に応じて当該ウェブコンテンツを端末装置ＴＵに提供（配信）する機能（ウェブサーバ機能）も有している。
【００４０】
ここで、図４は、統合管理盤１内における主幹ブレーカＢｓ、分岐ブレーカＢｍｎ、電流計測ユニット２を構成する制御ユニット（制御部）２ｂ、エネルギーマネジメントユニット３、統合装置ＴＭ等の配置を示している。主幹ブレーカＢｓの右側には、複数の分岐ブレーカＢｍｎが上下２列に配列されるとともに横並びに配置されており、これらの分岐ブレーカＢｍｎの右側には制御ユニット２ｂが配置されている。また、主幹ブレーカＢｓの下部には上述した主幹電力計測部２ａを構成する主幹電力計測センサＳ１が配置され、この主幹電力計測センサＳ１は通信ケーブルＬｉ２（例えば、ＲＳ４８５など）を介して制御ユニット２ｂに接続されており、主幹電力計測センサＳ１で計測した主幹ブレーカＢｓの主幹電力量が通信ケーブルＬｉ２を介して制御ユニット２ｂに入力されるようになっている。
【００４１】
さらに、制御ユニット２ｂの右側には、エネルギーマネジメントユニット３が配置されており、エネルギーマネジメントユニット３の右側には統合装置ＴＭが配置されている。エネルギーマネジメントユニット３は、ＬＡＮケーブルＬｉを介して統合装置ＴＭに接続されるとともに、通信ケーブルＬｉ１（例えば、ＲＳ４８５など）を介して制御ユニット２ｂに接続されており、制御ユニット２ｂの送信部２ｃから送信された主幹ブレーカＢｓの主幹電力および分岐ブレーカＢｍｎ毎の分岐電流の計測データが通信ケーブルＬｉ１を介してエネルギーマネジメントユニット３に入力されるようになっている。
【００４２】
また、本実施形態では、図４に示すように主幹ブレーカＢｓを介して供給される商用電源とは別に、太陽光を利用した太陽電池４から電力供給できるようになっている。この太陽電池４は、多数の太陽電池セル（太陽光からのエネルギーを光電変換し、電気エネルギーに変換する素子）を配列してパネル状としたものであって、直流電源として使用される。太陽電池４で生成された直流電力は、パワーコンディショナ５により交流電力に変換され、連系ブレーカ６と一次分岐ブレーカ７を介して商用電源と連系して負荷に供給される。
【００４３】
ここで、本実施形態のエネルギーマネジメントシステムでは、上述したように各住戸における主幹ブレーカＢｓの電気使用量および分岐ブレーカＢｍｎ毎の電気使用量が、センタ装置ＳＶの情報データベースＤＢに各住戸毎に蓄積されており、センタ装置ＳＶにおいて、この蓄積情報に基づいて他世帯との間で電気使用量や電気使用量の削減度合い（例えば、削減率）などの比較が行えるようになっている。また、その比較結果は、センタ装置ＳＶから対応する住戸の端末装置ＴＵ（表示制御装置ＣＶやパソコンＰＣや携帯端末ＰＴなど）の画像表示部１６の表示画面１６ａに表示されるようになっている。
【００４４】
ここにおいて、上述のように他世帯比較を行うためには、自世帯の情報をセンタ装置ＳＶに設定する必要があるが、その手順について以下に説明する。
【００４５】
図６（ａ）は本実施形態の表示制御装置ＣＶを立ち上げた際、或いは、表示制御装置ＣＶを途中画面からトップ画面に切り替えた状態で画像表示部１６の表示画面１６ａに表示される画面の一例を示し、表示画面１６ａの上側には画面の名称（本画面では「省エネモニター」）を示すタイトルバーＴＢが表示され、その右側には電気消費量の表示画面に切り替えるための電気消費量表示ボタンＢ１や、電気機器の使用状態を表示する画面に切り替えるための電気チェックボタンＢ２や、電気使用量の比較結果を表示する画面に切り替えるための比較結果表示ボタンＢ３が表示されている。また、表示画面１６ａの下側には、当日の電気使用量を表示する表示部Ｗ１が配置されるとともに、次ページに移行させるための次ページボタンＢ４や、メニュー画面に移行させるためのメニューボタンＢ５がそれぞれ表示されている。
【００４６】
そして、図６（ａ）の初期画面において使用者がメニューボタンＢ５を選択すると、表示制御装置ＣＶの制御部１７は、送受信部１５を制御してメニュー画面の表示要求を統合装置ＴＭを介してエネルギーマネジメントユニット３に送信させる。エネルギーマネジメントユニット３では、表示制御装置ＣＶから送信されたメニュー画面の表示要求を統合装置ＴＭを介して受信すると、メニュー画面を表示させるためのウェブページを表示要求の送信元の表示制御装置ＣＶに返送しており、表示制御装置ＣＶでは、送受信部１５が受信したウェブページが画像表示部１６の表示画面１６ａに表示される。図６（ｂ）は、表示制御装置ＣＶの画像表示部１６の表示画面１６ａに表示されるメニュー画面の一例を示している。この画面の上側には画面の名称（本画面では「メニュー（１／２）」）を示すタイトルバーＴＢ１が、画面中央には所望のメニューを選択するためのメニュー選択ボタンＢ６〜Ｂ９が、画面の下側には前ページや次ページに移行させるための前ページボタンＢ１０および次ページボタンＢ１１がそれぞれ表示されている。なお、各々の選択ボタンＢ６〜Ｂ９には対応するメニューの内容を示す文字（「センターサーバ」「省エネモニター」「リモコン」「ネット状態」）がそれぞれ表示されている。
【００４７】
次に、図６（ｂ）に示す画面において、センタ装置ＳＶが提供する画面に切り替えるための選択ボタンＢ６を選択すると、表示制御装置ＣＶの制御部１７が送受信部１５からインターネットＮＴを介してセンタ装置ＳＶにメニュー画面の表示要求を送信させ、センタ装置ＳＶがインターネットＮＴを介してメニュー画面の表示要求を受信すると、センタ装置ＳＶはメニュー画面を表示させるためのウェブページをインターネットＮＴを介して表示要求の送信元の表示制御装置ＣＶに向けて送信し、表示制御装置ＣＶでは送受信部１５が受信したウェブページが画像表示部１６の表示画面１６ａに表示される。図７は、表示制御装置ＣＶの画像表示部１６の表示画面１６ａに表示されるメニュー画面の一例を示している。この画面の上側には画面の名称（本画面では「メニュー」）を示すタイトルバーＴＢ２が、画面中央には所望のメニューを選択するための選択ボタンＢ１２〜Ｂ２０が、画面の下側には登録サイトのトップページに移行するための移行ボタンＢ２１やホームポータルへ移行するための移行ボタンＢ２２がそれぞれ表示されている。なお、各々の選択ボタンＢ１２〜Ｂ２０には対応するメニューの内容を示す文字（「カメラ」「機器コントロール」「エコ」「設定」など）がそれぞれ表示されている。
【００４８】
さらに、図７に示す画面において、設定画面に切り替えるための選択ボタンＢ２０を選択すると、上述と同様の処理を経て画像表示部１６の表示画面１６ａが図８（ａ）に示す設定画面に切り替えられる。この画面の上側には画面の名称（本画面では「設定」）を示すタイトルバーＴＢ３が、画面中央には所望のメニューを選択するための選択ボタンＢ２３〜Ｂ３０が、画面の下側にはメニュー画面（図７に示す画面）に移行するためのメニューボタンＢ３１がそれぞれ表示されている。なお、各々の選択ボタンＢ２３〜Ｂ３０には対応するメニューの内容を示す文字（「コントロール設定」「名称変更」「ご家族設定」「電力データ利用設定」など）がそれぞれ表示されている。
【００４９】
その後、図８（ａ）に示す画面において、電力データ利用設定画面に切り替えるための選択ボタンＢ２９を選択すると、上述と同様の処理を経て画像表示部１６の表示画面１６ａが図８（ｂ）に示す電力データ利用設定画面に切り替えられる。この画面の上側には画面の名称（本画面では「電力データ利用設定」）を示すタイトルバーＴＢ４が、画面中央には所望のメニューを選択するための選択ボタンＢ３２〜Ｂ３４が、画面の下側には前画面（図８（ａ）に示す画面）に移行するための戻りボタンＢ３５がそれぞれ表示されている。なお、各々の選択ボタンＢ２３〜Ｂ３０には対応するメニューの内容を示す文字（「お預かり同意」「バックアップ」「世帯設定」）がそれぞれ表示されている。
【００５０】
そして、図８（ｂ）に示す画面において、世帯設定画面に切り替えるための選択ボタンＢ３４を選択すると、上述と同様の処理を経て画像表示部１６の表示画面１６ａが図８（ｃ）に示す世帯設定画面に切り替えられる。この画面の上側には画面の名称（本画面では「世帯設定」）を示すタイトルバーＴＢ５が、画面中央には世帯人数や居住地（住戸がある場所）や住戸がオール電化であるか否かを選択するための選択ボタンＢ３６〜Ｂ３８が、画面の下側には前画面（図８（ｂ）に示す画面）に移行するための戻りボタンＢ４０がそれぞれ表示されている。また、戻りボタンＢ４０の上側には選択ボタンＢ３６〜Ｂ３８により設定した内容をセンタ装置ＳＶに登録するための登録ボタンＢ３９が表示されている。
【００５１】
ここで、例えば世帯人数が５人、居住地が大阪府、住戸がオール電化である場合には、まず選択ボタンＢ３６により世帯人数として５人を選択し、さらに選択ボタンＢ３７により居住地として大阪府を選択した後、選択ボタンＢ３８によりオール電化であることを示す「はい」を選択すると、表示画面１６ａが図８（ｃ）に示す画面のようになり、その後登録ボタンＢ３９を選択すると、設定内容とともに登録するか否かの確認画面（図示せず）が画像表示部１６の表示画面１６ａに表示され、同確認画面において「はい」ボタンを選択すると、設定した内容がセンタ装置ＳＶに登録される。
【００５２】
そして、上記内容がセンタ装置ＳＶに登録されると自世帯が一世帯としてセンタ装置ＳＶに認識され、センタ装置ＳＶに登録されたすべての他世帯との間で電気使用量や電気使用量の削減率などの比較が行われるようになる。ここにおいて、上述の電気使用量の比較は、例えば情報データベースＤＢに蓄積した各住戸の主幹ブレーカＢｓの電気使用量を比較したり、各住戸の各分岐ブレーカＢｍｎの電気使用量を分岐ブレーカＢｍｎ毎に比較して行われる。また、電気使用量の削減率の比較は、主幹ブレーカＢｓまたは各分岐ブレーカＢｍｎについて、例えば前月の電気使用量と今月の電気使用量から電気使用量の削減率を算出し、各住戸毎に算出した削減率を比較して行われる。
【００５３】
次に、センタ装置ＳＶで比較した電気使用量や電気使用量の削減率などの比較結果を、表示制御装置ＣＶの表示画面１６ａに表示させる方法について説明する。
【００５４】
センタ装置ＳＶから提供された図７に示すメニュー画面において、エコ画面に切り替えるための選択ボタンＢ１５を選択すると、上述と同様の処理を経て画像表示部１６の表示画面１６ａが図９（ａ）に示すエコ画面に切り替えられる。この画面の上側には画面の名称（本画面では「エコ」）を示すタイトルバーＴＢ６が、画面中央には所望のメニューを選択するための選択ボタンＢ４１〜Ｂ４３が、画面の下側にはメニュー画面（図７に示す画面）に移行するためのメニューボタンＢ４４がそれぞれ表示されている。また、選択ボタンＢ４１〜Ｂ４３の右側には自世帯と略同条件の他世帯との比較結果を表示する表示部Ｗ２が配置されている。なお、各々の選択ボタンＢ４１〜Ｂ４３には対応するメニューの内容を示す文字（「電気チェック」「電気使用量確認」「データダウンロード」）がそれぞれ表示されている。
【００５５】
ここにおいて、上記の表示部Ｗ２には、図９（ａ）に示すように、例えば自世帯の１ヶ月の電気使用量、全国の１ヶ月の電気使用量平均値、自世帯の全国順位などが表示されている。なお、順位については、電気使用量が少ない住戸ほど上位になるように設定されている。このように、各世帯の電気使用量を他世帯の電気使用量と比較することによって、各世帯において電気の使用状態（例えば、他世帯と比較して電気を使いすぎているとか省エネできているなど）を把握することができ、また順位づけを行うことによって順位を上げようとして省エネを心掛けるようになり、その結果さらに省エネを図ることができる。なお、図９（ｂ）に示すように比較結果を順位ではなくランク形式（例えば、Ａランク、Ｂランクなど）にしてもよい。この場合も上述と同様に省エネを心掛けるようになり、その結果さらに省エネを図ることができる。また、図９（ｃ）に示すように電気使用量に加えて前月に対する電気使用量の削減率（削減度合い）などを合わせて表示するようにしてもよく、さらに削減率についても他世帯との間で比較して順位やランク形式で順位付けを行ってもよい。この場合、各世帯の電気使用量の削減率を他世帯の電気使用量の削減率と比較することによって、各世帯において省エネの度合いを把握することができ、また順位づけを行うことによって順位を上げようとして省エネを心掛けるようになり、その結果さらに省エネを図ることができる。
【００５６】
さらに、上述のように本実施形態では、表示制御装置ＣＶからセンタ装置ＳＶに比較結果を表示する画面の表示要求を送信すると、センタ装置ＳＶは表示要求を送信した表示制御装置ＣＶに対して比較結果を表示させるためのウェブページを送信するので、使用者が見たいときに比較結果を取得することができる。
【００５７】
ここで、本実施形態のエネルギーマネジメントシステムでは、比較対象（他世帯）の居住範囲や電化住宅であるか否かの設定、および比較期間（所定期間）の設定が、センタ装置ＳＶから提供されるウェブページで変更できるようになっており、以下にその手順について説明する。
【００５８】
センタ装置ＳＶから提供された図７に示すメニュー画面において、設定画面に切り替えるための選択ボタンＢ２０を選択すると、上述と同様の処理を経て画像表示部１６の表示画面１６ａが図８（ａ）に示す設定画面に切り替えられ、この画面において、例えばコントロール設定画面に切り替えるための選択ボタンＢ２３を選択すると、上述と同様の処理を経て画像表示部１６の表示画面１６ａがコントロール設定画面（図示せず）に切り替えられる。そして、このコントロール設定画面から上述と同様の処理を経て複数回画面を移行させると、比較対象の居住範囲を設定するための範囲選択ボタンや、比較期間を設定するための期間選択ボタンや、比較対象が電化住宅であるか否かを選択するための住戸選択ボタンなどを表示する選択画面（図示せず）が表示画面１６ａに表示される。そして、範囲選択ボタンでは、例えば設定範囲が全国、都道府県別、市町村別、または分譲地別の中から選択できるようになっており、期間選択ボタンでは、例えば比較期間が１週間、１ヶ月、半年、または１年の中から選択できるようになっている。また、住戸選択ボタンでは、比較対象の住戸として、電化住宅かガス併用住宅かを選択できるようになっている。
【００５９】
而して、本実施形態のエネルギーマネジメントシステムでは、上述の範囲選択ボタンにより比較対象の居住範囲を全国、都道府県別、市長村別、または分譲地別に設定することができるので、様々な居住範囲において電気使用量や電気使用量の削減度合いを比較することができる。また、上述の期間選択ボタンにより比較期間を１週間、１ヵ月、半年、または１年で設定することができるので、様々な比較期間において電気使用量や電気使用量の削減度合いを比較することができる。なお、上述の範囲や期間は一例であって、これらに限定されるものではない。
【００６０】
さらに、自世帯が本実施形態のように電化住宅に設定されている場合、上述の住戸選択ボタンにより比較対象を電化住宅に設定することによって、略同条件の住戸との間で比較を行うことができ、より効果的な比較を実現することができる。また逆に、自世帯がガス併用住宅に設定されている場合には、住戸選択ボタンにより比較対象をガス併用住宅に設定すればよい。
【００６１】
なお、本実施形態では、表示制御装置ＣＶからの表示要求に応じて、センタ装置ＳＶが比較結果を表示させるためのウェブページを送信するようにしているが、上記ウェブページを自動的に配信し、表示制御装置ＣＶを起動して上記ウェブページを表示させるプッシュ型情報配信機能をセンタ装置ＳＶに持たせてもよく、例えばセンタ装置ＳＶが予め登録された表示制御装置ＣＶに対して定期的（例えば、１ヶ月に一度）に比較結果を表示させるように構成してもよい。この場合、使用者がセンタ装置ＳＶにアクセスすることなく比較結果を取得することができる。
【００６２】
また、本実施形態では、住戸選択ボタンにより略同条件（電化住宅またはガス併用住宅）の住戸を比較対象とした場合を例に説明したが、電化住宅およびガス併用住宅のすべての住戸を比較対象として他世帯比較を行うように構成してもよい。
【００６３】
さらに、本実施形態では、端末装置として表示制御装置ＣＶを用いた場合を例に説明したが、端末装置はパソコンＰＣやネットテレビＴＶや携帯端末ＰＴなどであってもよい。
【００６４】
また、本実施形態では、エネルギーマネジメントユニット３や統合装置ＴＭを電流計測ユニット２とともに１つの統合管理盤１内に配置した場合を例に説明したが、エネルギーマネジメントユニット３や統合装置ＴＭを電流計測ユニット２とは別の管理盤として設け、電流計測ユニット２とエネルギーマネジメントユニット３との間を通信ケーブルにより接続するように構成してもよい。
【図面の簡単な説明】
【００６５】
【図１】本実施形態のエネルギーマネジメントシステムの各構成を示すブロック図である。
【図２】同上の各構成を示す別のブロック図である。
【図３】同上の構成を示すシステム図である。
【図４】同上の統合管理盤内の配置図である。
【図５】同上の端末装置のブロック図である。
【図６】（ａ）、（ｂ）は同上の端末装置の表示画面の例図である。
【図７】同上の端末装置の表示画面の例図である。
【図８】（ａ）〜（ｃ）は同上の端末装置の表示画面の例図である。
【図９】（ａ）〜（ｃ）は同上の端末装置の表示画面の例図である。
【符号の説明】
【００６６】
２  電流計測ユニット
３  エネルギーマネジメントユニット
３ａ  演算部（分岐電力量演算部）
３ｂ  制御部
Ａ  宅内設備
Ｂｍｎ  分岐ブレーカ
Ｂｓ  主幹ブレーカ
ＣＴｍｎ  分岐電流計測部
ＣＴｓ  主幹電流計測部
ＣＶ  表示制御装置（端末装置）
ＥＰＯ  電力演算部（主幹電力量演算部）
Ｌｐｍｎ  電路
ＮＴ  インターネット（ネットワーク）
ＰＣ  パーソナル・コンピュータ（端末装置）
ＰＴ  携帯端末（端末装置）
ＳＶ  センタ装置（サーバ）
ＴＭ  統合装置（ネットワーク接続部）
ＴＶ  ネットテレビ（端末装置）
【図１】
2009130986.tif 000003
【図２】
2009130986.tif 000004
【図３】
2009130986.tif 000005
【図４】
2009130986.tif 000006
【図５】
2009130986.tif 000007
【図６】
2009130986.tif 000008
【図７】
2009130986.tif 000009
【図８】
2009130986.tif 000010
【図９】
2009130986.tif 000011